(57)【要約】【課題】  面格子体の施工が容易にでき且つ設置コストを安価にすることができる面格子体及び開口部装置を提供する。【解決手段】  本発明にかかる開口部装置１は、サッシ枠３と、サッシ枠３内に設けた引戸障子５ａ〜５ｄと、面格子体７ａ、７ｂとを備え、面格子体７ａ、７ｂは、サッシ３の雨戸レール１１ｃに装着されており、上框１５と、下框１７と、格子ユニット１９とを有し、格子ユニット１９は、複数の格子材２９を有し、各格子材２９は室内側格子部材２９ａと室外側格子部材２９ｂを嵌合してあり、格子ユニット２９の左右両端にある格子材の室内側格子部材２９ｃと上框１５と下框１７とで框組しており、室外側格子部材２９ｃを雨戸レール１１ｃよりも室外側に持ち出している。【選択図】図１
2014012960.tif 000002
【特許請求の範囲】
【請求項１】
上框と、下框と、格子ユニットとを有し、格子ユニットは、複数の格子材を有し、各格子材は一面側格子部材と他面側格子部材を嵌合してあり、格子ユニットの左右両端にある格子材の一面側格子部材と上框と下框とで框組しており、上框と下框には引戸レールにガイドされるガイド部を設けてあり、他面側格子部材がガイド部よりも他面側に持ち出されて位置していることを特徴とする面格子体。
【請求項２】
サッシ枠と、サッシ枠内に設けた引戸障子と、請求項１に記載の面格子体とを備え、サッシ枠は雨戸レールを有し、面格子体は、雨戸レールに装着されており、面格子体の室外側格子部材を雨戸レールよりも室外側に持ち出していることを特徴とする開口部装置。
【発明の詳細な説明】
【技術分野】
【０００１】
本発明は、引戸レールを走行する面格子体及びその面格子体を備える開口部装置に関する。
【背景技術】
【０００２】
一般に、防犯の為にサッシや、玄関の室外側に設けるに面格子体が公知である。
例えば、非特許文献１には、引戸サッシの室外側にサッシより大きな面積の面格子体を設けた開口部装置が開示されている。この非特許文献１では、面格子体は防犯性を図る所定の強度が要求されるので大型で重い為、施工が容易にできず設置コストが高くなっていた。
【先行技術文献】
【特許文献】
【０００３】
【非特許文献１】第２３６及び第２３７頁「メイクファード  ｍａｋｅｆａｒｄ  外観ファサードシステム」カタログＮｏ．ＳＴＪ０６０４ｃ  三協立山アルミ株式会社  ２０１１年４月発行
【発明の概要】
【発明が解決しようとする課題】
【０００４】
しかし、例えば格子材の肉厚を薄くして面格子体の軽量化を図ろうとすれば、強度が低下して防犯性を損なうという不都合がある。
【０００５】
そこで、本発明は、防犯性を損なうことなく、面格子体の施工が容易にでき且つ設置コストを安価にすることができる面格子体及び開口部装置の提供を目的とする。
【課題を解決するための手段】
【０００６】
請求項１に記載の発明は、上框と、下框と、格子ユニットとを有し、格子ユニットは、複数の格子材を有し、各格子材は一面側格子部材と他面側格子部材を嵌合してあり、格子ユニットの左右両端にある格子材の一面側格子部材と上框と下框とで框組しており、上框と下框には引戸レールにガイドされるガイド部を設けてあり、他面側格子部材がガイド部よりも他面側に持ち出されて位置していることを特徴とする面格子体である。
【０００７】
請求項２に記載の発明は、サッシ枠と、サッシ枠内に設けた引戸障子と、請求項１に記載の面格子体とを備え、サッシ枠は雨戸レールを有し、面格子体は、雨戸レールに装着されており、面格子体の室外側格子部材を雨戸レールよりも室外側に持ち出していることを特徴とする開口部装置である。
【発明の効果】
【０００８】
請求項１記載の発明によれば、面格子体は、上框と下框と格子材の室内側格子部材とで框組してあるから、従来の框組していない面格子体に比較して面格子体を堅牢にでき、例えば格子材の肉厚を薄くして軽量化を図っても防犯性を損なわない。
面格子体は軽量にできるので、施工が容易にできると共に面格子体の設置コストを安価にすることができる。
面格子体の上框と下框とには各々ガイド部を設けているので、面格子体をサッシ枠の引戸レールや引戸門扉の引戸レールに走行自在にできる。
【０００９】
請求項２記載の発明によれば、請求項１に記載の効果を奏すると共に面格子体をサッシ枠の雨戸レールに装着することにより、面格子体専用の枠が不要であるから、更に施工が容易にできると共に面格子体の設置コストを安価にすることができる。
【図面の簡単な説明】
【００１０】
【図１】本発明の第１実施の形態にかかる開口部装置の縦断面図であり、図２に示すＢ−Ｂ断面図である。
【図２】本発明の第１実施の形態にかかる開口部装置の横断面図である。
【図３】本発明の第１実施の形態にかかる開口部装置に用いられる面格子体の図であり、（ａ）は室外側から見た正面図、（ｂ）は側面図、（ｃ）は平面図、（ｄ）は底面図、（ｅ）は室内側から見た背面図である。
【図４】図３（ａ）に示すＡ−Ａ断面図であり、車輪を除いて示す図である。
【図５】本発明の第１実施の形態にかかる開口部装置において、左右の面格子体をサッシ中央に付き合わせた位置で固定した状態を室外側から見た正面図である。
【図６】本発明の第１実施の形態にかかる開口部装置において、左右の面格子体を左右に引き分けて配置した状態を室外側から見た正面図である。
【図７】本発明の第１実施の形態にかかる開口部装置において、面格子体を左右に間隔をあけて固定した状態を室外側から見た正面図である。
【図８】本発明の第２実施の形態にかかる開口部装置の横断面図である。
【図９】本発明の第２実施の形態にかかる開口部装置において、左右の面格子体をサッシ中央に付き合わせた位置で固定した状態を室外側から見た正面図である。
【発明を実施するための形態】
【００１１】
以下に、添付図面の図１〜図７を参照して本発明の第１実施の形態を詳細に説明する。図１及び図２に示すように、第１実施の形態に係る開口部装置１は、サッシ枠３と、サッシ枠３内に設けた引戸障子５ａ〜５ｄと、面格子体７ａ、７ｂとを備えている。
サッシ枠３は上枠９と下枠１１と左右の竪枠１３、１３を備え、上枠９には引戸障子５ａ〜５ｄの移動を案内する２本の障子案内レール９ａ、９ａと、障子案内レール９ａの室外側にある網戸レール９ｂと、網戸レールの室外側にある雨戸案内溝（雨戸レール）９ｃが設けてある。下枠１１には、引戸障子５ａ〜５ｄの移動を案内する２本の障子用レール１１ａ、１１ａと、障子用レール１１ａの室外側にある網戸レール１１ｂと、網戸レールの１１ｂの室外側にある雨戸レール１１ｃ（引戸レール）が設けてある。尚、雨戸案内溝９ｃは引戸レールでもある。
引戸障子５ａ〜５ｂは４枚であり、本実施の形態では、４枚建ての引き違い障子である。
面格子体７ａ、７ｂは、各々下枠１１の雨戸レール１１ｃと上枠９の雨戸案内溝９ｃとに走行自在に装着してある。
【００１２】
２枚の面格子体７ａ、７ｂは同じ構成であるから、以下の説明では、一方の面格子体７ａについてのみ説明する。
図１、図３及び図４に示すように、面格子体７ａは、上框１５と、下框１７と、格子ユニット１９とを備えており、格子ユニット１９は、上格子受け２１と、上框補助材２３と、下格子受け２５と、下框補助材２７と、格子材２９とで構成されている。
格子材２９は上下に長くしてあり隣合う格子材２９間に間隔をあけて設けてある。図２に示すように、各格子材２９は中空形材製の室内側格子部材（一面側格子部材）２９ａと室外側格子部材（他面側格子部材）２９ｂとを嵌合してあり、室内側格子部材２９ａの室外側面に嵌合部３１が設けてあり、室外側係止部２９ｂの室内側面に被嵌合部３３が設けてある。嵌合部３１と被嵌合部３３とが嵌合した部分にも中空３５を形成している。
図１及び図４に示すように、室内側格子部材２９ａは、上端を上框補助材２３にねじ３７で固定しおり、下端を下框補助材２７にねじ３９で固定している。図２に示すように、格子ユニット１９において、左右両側の各端にある格子材２９の室内側格子部材２９ｃ、２９ｃは、他の格子部材２９ａ、２９ｂよりも肉厚を厚くしてあり且つ図３に示すように上下寸法が長くしてある。左右両側の各端にある格子材２９の室内側格子部材２９ｃ、２９ｃの取付けは後述する。
室外側格子部材２９ｂは、上端を上格子受け２１にねじ４１で固定しており、下端を下格子受け２５にねじ４３で固定している。
【００１３】
上框補助材２３は上端に嵌合部４５が設けてあり、上框１５の下端に設けた被嵌合部４７に嵌合している。下框補助材２７は下端に嵌合部４９が設けてあり、下框１７の上端に設けた被嵌合部５１に嵌合している。
格子ユニット１９の左右両側端にある室内側格子部材２９ｃ、２９ｃは、その外周側見込み面から上框１５と下框１７とに各々ねじ４４で固定すると共に上框補助材２３と下框補助材２７に各々ねじ４６で固定して、上框１５と下框１７とに框組している。
図１に示すように、上框１５の上端部には雨戸案内溝（雨戸レール）９ｃにガイドされるガイド部１５ａが設けてあり、下框１７の下端部には雨戸レール１１ｃにガイドされるガイド部１７ａが設けてあり、ガイド部１７ａには車輪６２が設けてあり、雨戸レール１１ｃを走行自在である。面格子体７ａ、７ｂは各々雨戸レール１１ｃに装着しているが、格子ユニット１９の室外側格子部材２９ｂは、雨戸レール１１ｃよりも室外側に持ち出している。
【００１４】
上框１５には、被嵌合部４７の上に室外側に凹んだ凹部５３が形成してあり、下框１７にも被嵌合部４９の下に室外側に凹んだ凹部５５が形成してあり、上框１５の凹部５３には面格子体７ａを上枠９の雨戸案内溝９ｃに固定する上ロック装置５７が設けてあり、下框１７の凹部５５には面格子体７ａを下枠１１の雨戸レール１１ｃに固定する下ロック装置５９が設けてある。
上ロック装置５７は、上枠９の雨戸案内溝９ｃの溝底に形成した係止穴６０に挿入する閂６３が設けてあり、閂６３を上に上げて係止穴６０に係止することでロックし、閂６３を下げてロックを解除するようになっている。
下ロック装置５９も上ロック装置５７と同様に、下枠１１の雨戸レール１１ｃの底部に形成した係止穴６１に挿入する閂６４が設けてあり、閂６４を下に下げて係止穴６１係止することでロックし、閂６４を上げてロックを解除するようになっている。
上框の凹部５３には上格子受け２１を室内側から止めるねじ６５で固定してあり、下框の凹部５５でも下格子受け２５を室内側から止めるねじ６７で固定している。
【００１５】
次に、面格子体７ａ、７ｂの左右方向の幅寸法及びロック位置、引戸障子の施錠装置について説明する。
図５に示すように、面格子体７ａ、７ｂの各幅寸法Ｗ１は、４枚の引戸障子５ａ〜５ｄを閉じた状態で隣り合う２枚の引戸障子において、１枚の引戸障子５ａの幅寸法Ｓ１よりも大きくしてあり且つ一方の引戸障子５ｂの戸先７１から召合せ部７３を越えて、隣り合う他方の引戸障子５ａの幅方向の中間部を覆う寸法にしてある。
２枚の面格子体７ａ、７ｂをサッシ枠内の幅方向中央で付き合わせた位置にあるときに、２枚の面格子体全体７の幅寸法Ｗ２は、引戸障子５ａ〜５ｄを閉じた状態において、４枚の引戸障子５ａ〜５ｄの全ての召合せ部７３を覆い且つ右側端７ｅは最も右側に位置する障子５ａの幅方向中間部までを覆い、左側端７ｄは最も左側に位置する引戸障子５ｄの幅方向中間部までを覆う寸法にしてある。
２枚の面格子体７ａ、７ｂをサッシ枠内の幅方向中央で付き合わせた位置で、上枠９の雨戸案内溝９ｃの溝底に上ロック装置５７の閂６３が係止する係止穴６０が形成してあり、下枠１１の雨戸レール１１ｃにも底部に下ロック装置係５９の閂６４が係止する係止穴６４が形成してあり、この位置で２枚の面格子体７ａ、７ｂがロック可能にしてある。
同様に、図７に示すように、各面格子体７ａ、７ｂを互いに間隔をあけて配置し、４枚の引戸障子５ａ〜５ｄを閉じた状態で、室外側から見て右側の面格子体７ａの右側端を右竪枠１３に見込み方向で対向する位置でロックし、左側の面格子体７ｂの左側端を左竪枠１３に見込み方向で対向する位置でロックできるよう、上枠９の雨戸案内溝９ｃの溝底と下枠１１の雨戸レール１１ｃの底部に係止穴６０、６１が形成されている。
【００１６】
図２に示すように、４枚の引戸障子５ａ〜５ｄを閉じた状態において、左右両端に位置する引戸障子５ａ、５ｄの戸先７１には戸先錠（施錠装置）７５が設けてあり、各引戸障子の召合せ部７３にはクレセント（施錠装置）７７が設けてあり、図６に示すように、２枚の室外側引戸障子５ａ、５ｄの下框の室内側面には竪枠１３からの開き寸法を規制するサブロック（施錠装置）７９が設けてある。サブロック装置７９は、室外側引戸障子５ａを所定寸法開くと隣にある室内側引戸障子５ｂの召合せ部に当接して開き寸法を規制するものであり、同様に室外側引戸障子５ｄに設けたサブロック装置７９も室外側引戸障子５ｄを所定寸法開くと隣にある室内側引戸障子５ｃの召合せ部に当接して開き寸法を規制する。
【００１７】
次に、本実施の形態にかかる開口部装置１の施工、作用及び効果について説明するが、まず面格子体７ａ、７ｂの組立てについて説明する。
図１及び図２に示すように、各室内側格子部材２９ａの上端を上框補助材２３にねじ３７で固定し、下端を下框補助材２７にねじ３９で固定した室内側格子ユニットを作成する。
一方、各室外側格子部材２９ｂは、上端を上格子受け２１にねじ４１で固定し、下端を下格子受け２５にねじ４３で固定した室外側格子ユニットを作成する。
次に、室内側格子ユニットと室外側格子ユニットとを、室内側格子部材２９ａの嵌合部３１と室外側格子部材２９ｂの被嵌合部３３とを互いに嵌合して一体にし、上框補助材２３の長手方向端部から嵌合部４５に上框１５の下端に設けた被嵌合部４７を通すことにより、上框１５を取り付ける。同様に、下框補助材２７の長手方向端部から嵌合部４９に下框１７の上端に設けた被嵌合部５１を通すことにより、下框１７を取り付ける。
【００１８】
その後、上框１５の凹部５３の溝底にねじ６５で上格子受け２１を固定し、下框１７の凹部５５の溝底にねじ６７で下格子受け２５を固定する。
一方、上框１５と下框１７の左右端に、格子ユニット１９の左右両側端に位置する室内側格子部材２９ｃ、２９ｃを配置して、対応する室外側格子部材２９ｂに嵌合すると共にその外周側見込み面から上框１５と、下框１７とに各々ねじ４４で固定すると共に上框補助材２３と下框補助材２７に各々ねじ４６で固定して、上框１５と下框１７とに框組する。
そして、上框１５の凹部５１に上ロック装置５７を取り付け、下框１７の凹部５５に下ロック装置５９を取り付ける。
また、上枠９の雨戸案内溝９ｃの溝底と、下枠１１の雨戸レール１１ｃの底部には所定位置に上ロック装置５７の閂６３と下ロック装置５９の閂６４が係止する係止穴６０、６１を形成する。
そして、各面格子体７ａ、７ｂの上框１５の上端を上枠９の雨戸案内溝９ｃに、下框１７の下端を下枠１１の雨戸レール１１ｃに建て込んで、各面格子体７ａ、７ｂをサッシ枠３に走行自在に取り付ける。
【００１９】
この第１実施の形態によれば、面格子体７ａ、７ｂは、格子ユニット１９の左右両端にある格子材２９の室内側格子部材（一面側格子部材）２９ｃと上框１５と下框１７とで框組しているので、従来の框組していない面格子体に比較して堅牢にでき、例えば格子材の肉厚を薄くして、軽量化を図っても防犯性を損なうことがない。
面格子体７ａ、７ｂは軽量にできるので、施工が容易にできると共に面格子体の設置コストを安価にすることができる。
各面格子体７ａ、７ｂは、軽量であるからサッシ枠３の雨戸レール１１ｃに装着でき、サッシ枠３の雨戸レール１１ｃに装着することにより、面格子体専用の枠が不要なので、更に施工が容易にできると共に面格子体７ａ、７ｂの設置コストを安価にすることができる。
各面格子体７ａ、７ｂの上框１５にはガイド部１５ａを設けてあり、下框１７にはガイド部１７ａを設けているので、各面格子体７ａ、７ｂをサッシ枠３の雨戸レール１１ｃに走行自在にできる。
【００２０】
複数の室内側格子部材２９ａを上框補助材２３と下框補助材２７に固定した室内側格子ユニットを作成し、複数の室外側格子部材２９ｂを上格子受け２１と下格子受け２５に固定した室外側格子ユニットを形成し、室内側格子部材２９ａと室内側格子部材２９ｂとを互い嵌合して、室外側格子ユニットと室内側格子ユニットとを一体にすると共に、左右両側端にある室内側格子部材２９ｃと上框１５と下框１７とを框組しているので、簡単な組み付けで組子状の面格子体７ａ、７ｂを組み立てできる。
上框１５及び下框１７には、室内側見付け面に凹部５３、５５が形成してあり、各凹部５３、５５にロック装置５７、５９を設けているので、室外側からロック装置５７、５９の解除がし難い。
【００２１】
面格子体７ａ、７ｂの各幅寸法Ｗ１は、４枚の引戸障子を閉じた状態で隣り合う２枚の引戸障子において、１枚の引戸障子の幅寸法Ｓ１よりも大きくしてあり且つ一方の引戸障子５ａの戸先７１から召合せ部７３を越えて、隣り合う他方の引戸障子５ｂの幅方向の中間部までを覆う寸法にしてあるので、図５に示す位置で面格子体７ａ、７ｂをロックしている場合には、全ての召合せ部７３、７３に設けてあるクレセント（施錠装置）７７及びサブロック装置７９を覆うことができ、防犯性を向上できる。また、図７に示す位置で面格子体７ａ、７ｂをロックしている場合には、全ての召合せ部７３、７３に設けてあるクレセント（施錠装置）７７、戸先錠７５及びサブロック装置７９を覆うことができ、防犯性を向上できる。
図５及び図７に示すように、２枚の面格子体７ａ、７ｂで閉じてロックした状態では、左右両側にある引戸障子５ａ、５ｄの幅方向の略半分は覆わないので、全ての引戸障子５ａ〜５ｄの全面を覆うことによる閉塞感を軽減できる。
図７に示す状態で、例えば、左右端にある引戸障子５ａを所定寸法開いて、サブロック装置７９により、開きを制限することにより、採風を図りつつ、人の出入りを制限することができる。
図５に示すように２枚の面格子体７ａ、７ｂを突き合わせた位置でロックした状態において、２枚の内障子５ｂ、５ｃ又はいずれか１枚の内障子を開くことにより、採風を図りつつ、防犯を図ることができる。
【００２２】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図８及び図９に本発明の第２実施の形態を示す。この第２実施の形態では、サッシ１は２枚の引戸障子５ａ、５ｂとしてあり且つ面格子体７ａ、７ｂの幅寸法Ｗ１が第１実施の形態と異なっている。
【００２３】
即ち、各面格子体７ａ、７ｂの幅寸法Ｗ１は引戸障子５ａ、５ｂの寸法Ｓ１よりも小さくしてあり、２枚の引戸障子５ａ、５ｂを閉じた状態で、面格子体７ａ、７ｂは引戸障子の召合せ部７３の位置で互いに突き合わせた位置でロックしてあり、この位置で２枚の面格子全体７で２枚の引戸障子５ａ、５ｂの召合せ部７３を覆い且つ面格子全体７の左側端は最も左側にある引戸障子５ａの幅方向中間部に位置し、右側端は最も右側にある引戸障子５ｂの幅方向中間部に位置している。
【００２４】
この第２実施の形態によれば、第１実施の形態と同様に、各面格子体７ａ、７ｂをサッシ枠３の雨戸レール１１ｃに装着しているので、面格子体専用の枠が不要なので施工が容易にできると共に面格子体７ａ、７ｂの設置コストを安価にすることができる。
面格子体７ａ、７ｂの構成及び組み立てについても、第１実施の形態と同様の効果を奏することができる。
２枚の面格子体７ａ、７ｂ全体７としてクレセント７７がある召合せ部７３を覆い且つ左側端は最も左側にある引戸障子５ａの幅方向中間部に位置し、右側端は最も右側にある引戸障子５ｂの幅方向中間部に位置しているから、２枚障子においても、上述した第１実施の形態と同様に、面格子体７ａ、７ｂは全体７として、障子の施錠部分を覆っているので、防犯性を向上できる。
面格子体７ａ、７ｂは全体７として左側端は最も左側にある引戸障子５ａの幅方向中間までを覆い、右側端は最も右側にある引戸障子５ｂの幅方向中間部までを覆い、サッシの開口部全体を覆わないので、閉塞感を軽減できる。
【００２５】
本発明は、上述した実施の形態に限らず、本発明の要旨を逸脱しない範囲で種々変形可能である。
例えば、引戸障子は４枚や２枚に限らず、３枚障子でも良いし、引戸障子の数は制限されない。
請求項１に記載の面格子体７ａ、７ｂは、サッシ枠３の雨戸レール１１ｃ、９ｃに限らず、専用のレールを設けても良い。また、面格子体７ａ、７ｂは、引戸門扉用の専用レールに設けて門扉として用いても良い。
【符号の説明】
【００２６】
１    開口部装置
３    サッシ枠
５ａ〜５ｄ  引戸障子
９ｃ、１１ｃ  雨戸レール
１５  上框
１７  下框
１９  格子ユニット
２９  格子材
２９ａ  室内側格子部材（一面側格子部材）
２９ｂ  室外側格子部材（他面側格子部材）
２９ｃ  格子ユニットの左右両端にある室内側格子部材
３１  嵌合部
３３  被嵌合部
【図１】
2014012960.tif 000003
【図２】
2014012960.tif 000004
【図３】
2014012960.tif 000005
【図４】
2014012960.tif 000006
【図５】
2014012960.tif 000007
【図６】
2014012960.tif 000008
【図７】
2014012960.tif 000009
【図８】
2014012960.tif 000010
【図９】
2014012960.tif 000011